(57)【要約】      （修正有）【課題】  子供が成長しても、座り心地のよい自動車用子供シートを提供する。【解決手段】  シート２および背もたれ３を構成する本体１と、子供のための安全ストラップ４，５とを備え、これらのストラップの一端は股のストリップ７へ取り付けられる。背もたれ３に沿って上下に移動可能なように取り付けられているヘッドレスト８にはストラップ４，５の他端を取り付けると共に、伝動装置が一体化して設けられ、伝動装置から伸びている伝動部品が、股のストリップ７の下端に連結されている。股のストリップ７は、スライド可能なように取り付けられており、ヘッドレスト８の上下の動きによって、ストラップ４，５および股のストリップ７によって提供されるスペースの増加または減少が実現する。ヘッドレスト８は、異なる位置で自身を固定するための装置を備えている。【選択図】図１
2007076643.tif 000002
【特許請求の範囲】
【請求項１】
実際のシート（２）および背もたれ（３）を構成する本体（１）と、子供のための安全ストラップ（４），（５）とを備え、上記ストラップが股のストリップ（７）へ取り付けられている自動車の子供用シートであって、
上記背もたれ（３）に垂直に移動可能なように取り付けられているヘッドレスト（８）と、
上記ストラップ（４），（５）と一体化して設けられている伝動装置（９）と、
上記伝動装置（９）から伸びていると共に、上記股のストリップ（７）の下端（７´）に連結されている伝動部品（１０）とを備え、
上記股のストリップ（７）は、スライド可能なように取り付けられ、
上記ストラップ（４），（５）は、上記ヘッドレスト（８）に取り付けられ、
上記ヘッドレスト（８）の上下の動きによって、上記ストラップ（４），（５）および上記股のストリップ（７）によって提供されるスペースの増加または減少が実現することを特徴とする自動車の子供用シート。
【請求項２】
上記ヘッドレスト（８）は、異なる位置で自身を固定するための装置（１９）を備えていることを特徴とする請求項１に記載の自動車の子供用シート。
【請求項３】
上記伝動装置（９）は、斜めのスリット（１２）が設けられた板（１１）を備え、
柔軟なロッドまたはロープを有した滑動部（１４）の先端（１３）が、滑動するように上記スリットにはめこまれ、
上記柔軟なロッドまたはロープが、上記股のストリップ（７）の動きを伝動するための上記伝動部品（１０）を構成していることを特徴とする請求項１に記載の自動車の子供用シート。
【請求項４】
上記伝動部品（１０）は、上記股のストリップ（７）の下端（７´）へ取り付けられている小さいフレーム（２８）を介して上記股のストリップ（７）の下端（７´）へ取り付けられ、
上記フレーム（２８）は、上記シート（２）の底の窓枠（３０）において、移動可能なように取り付けられていることを特徴とする請求項１に記載の自動車の子供用シート。
【請求項５】
上記フレーム（２８）は、上記窓枠（３０）に沿った異なる位置（３１）で、移動可能に保持されるように取り付けられていることを特徴とする請求項４に記載の自動車の子供用シート。
【請求項６】
上記装置（１９）は、角の部分（２０）で動くように取り付けられている角のある部品を備え、
上記角のある部品の一方の枝状部分（２２）は、手動で動作するために設けられ、他方の枝状部分（２６）には、背もたれ（３）の後側に沿って設けられている凹部（２５）に適合する部品（２４）が取り付けられていることを特徴とする請求項２に記載の自動車の子供用シート。
【請求項７】
上記窓枠（３０）に沿った異なる位置で保持され得るために、上記フレーム（２８）は突出した横材（２９）を備え、
上記横材（２９）は、上記窓枠の対辺に設けられた凹部（３１）に適合するように取り付けられ、
上記フレーム（２８）は、上記フレーム（２８）に連結されている弾力的な滑材（３２）によって、移動可能なように保持されていると共に、上記シート（２）の底に取り付けられているカバー（３４）に沿って設けられている誘導装置（３３）上に、滑動するように配置されていることを特徴とする請求項５に記載の自動車の子供用シート。
【発明の詳細な説明】
【発明の詳細な説明】
【０００１】
シートに子供をしっかりと固定するために、様々なタイプの子供用シートが存在している。上記シートは、股のストリップへバックルを介して連結されている、２つの調整可能なストラップで構成されているストラッピングを備えている。上記２つのストラップは、背もたれの後側で互いに接続されている。これにより、引張り装置を通過する長さが規定され、上記シートの前部が拡大される。
【０００２】
子供の安全のため、これらのシートは一般に、自動車の後部座席に導入される。
【０００３】
これら子供用シートのいくつかは、ヘッドレストが設けられた背もたれを備えており、このような子供用シートは、例えば１歳〜５歳の幼児用として設計されている。
【０００４】
上記シートのいくつかでは、ヘッドレストを形成する個々の部品が、子供の身長に適合させるために、移動可能なように背もたれの上の方に取り付けられている。上記ストラッピングの２つのストラップは、上記ヘッドレストに取り付けられている。
【０００５】
これらのシートでは、以下に示すような問題を有している。上記２つのストラップは、子供の成長の範囲で、子供の身長に徐々に適合する。しかしながら、股のストリップはこの限りでない。この股のストリップは、上記シートにしっかりと固定されている。このため、子供の成長に伴い、上記ストリップによる股への圧迫がますます強くなり、この結果、上記シートでの不快感が大きくなる。
【０００６】
本発明の目的は、上記のようなシートにおいて、上記ストラップを形成する上記２つのストラップの長さを調整する時に、上記股のストリップによって提供されるスペースが調整されることにより、上記問題を解決することにある。それゆえに、上記長さおよび上記提供されるスペースは、共に増加する。
【０００７】
上記目的を実現するために、上記ストラップは、ヘッドレストに取り付けられ、このヘッドレストは、垂直に移動可能なように、背もたれに取り付けられている。上記ストラップは、伝動装置と一体化して設けられ、伝動部品は、上記伝動装置から伸びている。上記伝動部品は、股のストリップの下端に連結されている。上記股のストリップは、スライド可能なように取り付けられている。そして、上記ヘッドレストの上下の動きによって、上記ストラップおよび上記股のストリップによって提供されるスペースの増加または減少が実現する。
【０００８】
上記ヘッドレストは、異なる位置で自身を固定するための装置を備えており、上記装置は、角の部分で動くように取り付けられている、弾性的に傾く角のある部品を備えている。上記角のある部品の一方の枝状部分は、手動で動作するために設けられ、他方の枝状部分は、上記背もたれの後側に沿って設けられている凹部に適合する横方向の部品に取り付けられている。
【０００９】
上記伝動装置は、上記股のストリップを移動させるためのものであり、斜めのスリットが設けられた板を備えている。柔軟なロッドまたはロープを有した水平な滑動部の先端が、滑動するように上記スリットにはめこまれ、上記柔軟なロッドまたはロープは、上記伝動部品を構成している。上記伝動部品は、小さいフレームを介して上記股のストリップの下端へ取り付けられ、上記フレームは、シートの底の窓枠において、移動するように取り付けられている。上記フレームは、上記窓枠に沿った異なる位置で、移動可能なように保持されている。
【００１０】
上記および他の特徴は、以下に示す詳細な説明および実施形態を示した図面によってより明確となるであろう。なお、上記実施形態は、一例であり、本発明の範囲を限定するものではない。
【００１１】
図１は、本発明に基づく子供用シートの前方からの透視図であり、図２は、本発明に基づく子供用シートの後方からの透視図である。
【００１２】
図３は、ヘッドレストの動きを股のストリップへ伝えるための構造の詳細を示す透視図である。
【００１３】
図４は、股のストリップが取り付けられているフレームの細部を下方から見た透視図であり、図５は、股のストリップが取り付けられているフレームの細部を上方から見た透視図である。
【００１４】
図６は、ヘッドレストを異なる位置に固定するための装置の正面図である。
【００１５】
図示のように、子供のための自動車の子供用シートは、実際のシート（２）および背もたれ（３）を構成する本体（１）と、２つの安全ストラップ（４），（５）とを備えている。上記ストラップは、バックル（６）へ取りつけられ、このバックル（６）は、股のストリップ（７）へ取り付けられている。
【００１６】
ストラップ（４），（５）は、ヘッドレスト（８）に取り付けられ、このヘッドレスト（８）は、垂直に移動可能なように、背もたれ（３）に取り付けられている。ストラップ（４），（５）は、装置（９）と一体化して設けられ、伝動部品（１０）は、装置（９）から伸びている。伝動素子（１０）は、股のストリップ（７）の動きを伝動するためのものであり、股のストリップ（７）の下端（７´）に連結されている。股のストリップ（７）は、スライド可能なように取り付けられている。伝動装置（９）は、斜めのスリット（１２）が設けられた垂直な板（１１）を備えている（図３）。滑動部（１４）の先端（１３）は、滑動するように上記スリットにはめこまれ、上記滑動部は、誘導装置（１５）に沿って滑動するように、横切るように、誘導される。小さいカバー（１６）に設けられている誘導装置（１５）は、背もたれ（３）の後側に取り付けられている。背もたれ（３）には、横方向のスリット（１７）が設けられ、上記滑動部は、柔軟なロッドまたはロープによってスリット（１７）に取り付けられている。上記柔軟なロッドまたはロープは、伝動素子（１０）を構成し、この伝動素子（１０）は、固定された鞘の内側で移動するように取り付けられている。
【００１７】
ヘッドレスト（８）は、異なる位置でヘッドレスト（８）を固定するための装置（１９）を備えている（図６）。上記装置は、角の部分（２０）で動くように取り付けられている角のある部品を備えている。螺旋状のバネ（２１）が、上記部品のスイングピン上に取り付けられ、選ばれた位置でヘッドレスト（８）を保持させる。上記部品は、水平な枝状部分（２２）を介して動かされるように、枝状部分（２２）に取り付けられている。ストリップ（２３）は、自身が上方に引っ張られることで、横方向の部品（２４）がはずれることにより、上記装置の固定がはずれるように設けられている。部品（２４）は、その端において、選択的に凹部（２５）に取り付けられている。凹部（２５）は、背もたれ（３）の後側に、互いに対称的な位置となるように設けられている。部品（２４）は、上記角のある部品の枝状部分（２６）に取り付けられている。上記角のある部品の枝状部分は、垂直に配置されている。参照番号（２７）は、バネを示しており、安定した位置に戻すために上記ヘッドレスト固定装置を補助する。
【００１８】
伝動部品（１０）は、小さいフレーム（２８）を介して股のストリップの下端（７´）へ取り付けられている。フレーム（２８）は媒介の役割を担っている。横方向の部分（２９）は、上記下端へ取り付けられている。上記フレームは、シート（２）の底の窓枠（３０）内で移動するように取り付けられている（図４）。上記フレームは、窓枠（３０）の対辺に設けられている各凹部（３１）の中で、移動可能なように保持される。上述した横材（２９）は、上記凹部に選択的に取り付けられているフレーム（２８）によって形成される面から突出している（図５）。上記横材は、弾力的な滑材（３２）によって、ある位置で移動可能なように保持されている。弾力的な滑材（３２）は、上記フレームの横方向の端に連結され、誘導装置（３３）上を滑動するように配置されている。誘導装置（３３）は、シート（２）の底に取り付けられているカバー（３４）に沿って設けられている。
【００１９】
上記ストラップの上端（４´），（５´）は、横材（３５）に取り付けられている。横材（３５）は、背もたれ（３）の前側の上部に固定して取り付けられている（図１）。
【００２０】
本実施形態の場合、ストラップの（４），（５）の下端は、バックル（６）のスリット（３６）を通った後、上記シートの横方向の隙間（３７）を介して伸びている。そして、互いに結合され（３８）、ストリップ（３９）を形成する。ストリップ（３９）は、引張り装置（４０）を介して伸びている。そして、シート（２）の前部分において、その端（４１）が突出している。
【００２１】
ストラップ（４），（５）の下端が互いに結合される前では、誘導部品を含んでいるユニット（４２）を介して伸びている。上記ユニットは、Ｕ字形状の軸受部材（４３）によって形成されており、この軸受部材（４３）は、シート（２）の底にしっかりと固定されている。そして、軸受部材（４３）の分岐された部分は、その折れ曲った部分から伸びた部分で互いに交差している。上記分岐された部分には、それぞれローラー（４４）が設けられている。
【００２２】
参照番号（４５）は、装飾品を配置する前に、シート（１）を覆うためのパッド部品を示している。上記部品は、上記シートのいくつかの構成部品を示すために、一部を切り取って示している。
【００２３】
ストラップ（４），（５）の長さを変化させるためには、また、股の部分（７）でのスペースを変化させるためには、以下の処理を行う。図６の矢印（Ｆ）に示すようにストリップ（２３）を上方に引っ張ると、上記角のある部品が矢印（Ｆ´）に示すように動かされ、上記ストラップの固定がはずれる。これにより、滑動部（１４）に従ってヘッドレスト（８）を板（１１）と共に動かすことができ、この結果、フレーム（２８）の移動と共に股のストリップ（７）が移動する。上記ストラップによって提供される、股の部分でのスペースの変化が所望の状態になると、ストリップ（２３）が離され、装置（２４）が再度凹部（２５）にはめ込まれ、選ばれた位置で再度固定される。
【図面の簡単な説明】
【００２４】
【図１】本発明に基づく子供用シートの前方からの透視図である。
【図２】本発明に基づく子供用シートの後方からの透視図である。
【図３】ヘッドレストの動きを股のストリップへ伝えるための構造の詳細を示す透視図である。
【図４】股のストリップが取り付けられているフレームの細部を下方から見た透視図である。
【図５】股のストリップが取り付けられているフレームの細部を上方から見た透視図である。
【図６】ヘッドレストを異なる位置に固定するための装置の正面図である。
【図１】
2007076643.tif 000003
【図２】
2007076643.tif 000004
【図３】
2007076643.tif 000005
【図４】
2007076643.tif 000006
【図５】
2007076643.tif 000007
【図６】
2007076643.tif 000008